(57)【要約】【課題】マイナスイオンによるトリートメント効果を向上できるヘアードライヤーを提供する。【解決手段】空気取り入れ口５及び空気吹き出し口４をハウジング１に備えると共にこのハウジング１内部の空気を空気取り入れ口５から空気吹き出し口４に送るファン６及びその空気を加熱するヒータ８を設けたヘアードライヤーである。上記ヒータ８を繰り返してオンオフする制御をして冷風と温風を交互に吹き出し口４より放出するように構成すると共に、ハウジング１内の空気流路２を通って吐出される送風と同じ方向にマイナスイオンを放出するイオン発生部９を備える。【選択図】        図１
2004222751.tif 000002
【特許請求の範囲】
【請求項１】
空気取り入れ口及び空気吹き出し口をハウジングに備えると共にこのハウジング内部の空気を空気取り入れ口から空気吹き出し口に送るファン及びその空気を加熱するヒータを設けたヘアードライヤーにおいて、上記ヒータを繰り返してオンオフする制御をして冷風と温風を交互に空気吹き出し口より放出するように構成すると共に、ハウジング内の空気流路を通って吐出される送風と同じ方向にマイナスイオンを放出するイオン発生部を備えたことを特徴とするヘアードライヤー。
【請求項２】
イオン発生部を空気流路外のハウジングに設けて空気の吹き出される方向にイオン発生部からマイナスイオンを放出するようにしたことを特徴とする請求項１記載のヘアードライヤー。
【請求項３】
冷風を吹き出すときのみにイオン発生部でマイナスイオンを発生してマイナスイオンを放出するようにしたことを特徴とする請求項１または請求項２記載のヘアードライヤー。
【発明の詳細な説明】
【０００１】
【発明の属する技術分野】
本発明は、風を毛髪に当てて毛髪の乾燥やセットを行うと共に、マイナスイオンを毛髪に当てて毛髪のトリートメントを行うヘアードライヤーの構造に関するものである。
【０００２】
【従来の技術】
従来、この種のヘアードライヤーは図９に示すようにハウジングａ内の空気流路ｂの上流側端部に空気吸い込み口ｃを設けると共に空気流路ｂの下流側端部に空気吹き出し口ｄを設け、空気流路ｂにファンｅ、モータｆ、ヒータｇを配置すると共にマイナスイオンを発生させるイオン発生部ｈを設けてある（例えば、特許文献１参照）。そしてモータｆにてファンｅを駆動することにより送風し、ヒータｇに通電することで熱風を送風することができるようになっており、熱風のような風を毛髪に当てて髪を乾燥するようになっており、またイオン発生部ｈでマイナスイオンを発生して毛髪にマイナスイオンを当てて毛髪のトリートメントを行うようになっている。
【０００３】
【特許文献１】
実用新案登録第３０８６６８０号公報
【０００４】
【発明が解決しようとする課題】
ところで、マイナスイオンとは、空気中の空気分子にマイナス電子が付着した状態で、さらに水分子を数個取り込んだものである。これが、毛髪に付着するとマイナスイオンの粒子径が非常に小さいため、水分子を含むマイナスイオンが毛髪内部まで浸透しやすい。これによって、毛髪がしっとり、さらさらになるという効果が生まれるのである。
【０００５】
しかしながら、上記のような従来例のヘアードライヤーの場合、毛髪を乾燥させるときには熱風を毛髪に当てて乾燥しているため、乾燥時に髪がばさついたり、まとまりのない状態になってしまう。この状態の髪は、光が当った時に、光が乱反射するために艶があるように見えない。このような髪にマイナスイオンを当てても、結果として髪の艶がでにくいため、しっとり、さらさらする効果も実感しにくくなってしまう。さらに上記従来例のヘアードライヤーでは温風の送風と共にマイナスイオンを発生しているため、マイナスイオンに含まれている水分子が加熱された状態になっている。この加熱されたイオン分子に含まれる水分子は温度が高く、高いエネルギーを持っているため、毛髪に付着しても、再び、空気中に蒸散し易い状態になる。そのためにマイナスイオンを毛髪に当てても、結果としてしっとりになる効果が減ってしまう。
【０００６】
本発明は上記の点に鑑みてなされたものであり、マイナスイオンによるトリートメント効果を向上できるヘアードライヤーを提供することを課題とするものである。
【０００７】
【課題を解決するための手段】
上記課題を解決するための本発明のヘアードライヤーは、空気取り入れ口５及び空気吹き出し口４をハウジング１に備えると共にこのハウジング１内部の空気を空気取り入れ口５から空気吹き出し口４に送るファン６及びその空気を加熱するヒータ８を設けたヘアードライヤーにおいて、上記ヒータ８を繰り返してオンオフする制御をして冷風と温風を交互に吹き出し口４より放出するように構成すると共に、ハウジング１内の空気流路２を通って吐出される送風と同じ方向にマイナスイオンを放出するイオン発生部９を備えたことを特徴とする。
【０００８】
またイオン発生部９を空気流路２外のハウジング１に設けて空気の吹き出される方向にイオン発生部９からマイナスイオンを放出するようにしたことを特徴とすることも好ましい。
【０００９】
また冷風を吹き出すときにのみイオン発生部９でマイナスイオンを発生してマイナスイオンを放出するようにしたことを特徴とすることも好ましい。
【００１０】
【発明の実施の形態】
先ず、図１乃至図３に示す例から述べる。ヘアードライヤーはハウジング１によって本体部が形成されている。ハウジング１には内部に温風又は冷風を流すことができる空気流路２が設けられており、ハウジング１の下流側の端部に空気を吐出する空気吹き出し口４を形成すると共に、ハウジング１上流側の端部に空気を吸入する空気取り入れ口５を形成してある。ハウジング１内の空気流路２の上流側にはファン６及びファン６を駆動するモータ７を配設してあり、空気流路２のファン６やモータ７の下流側にはヒータ８を配置してある。
【００１１】
ハウジング１の下壁部にはハンドル部１１が下方に向けて突出するように一体に設けてあり、ハンドル部１１には電源スイッチ１２を設けてある。そして電源スイッチ１２を操作することでモータ７やヒータ８の電源をオンオフする切り替えを行うことができるようになっている。またハウジング１内にはイオン発生部９と高電圧発生部１０とを設けてあり、イオン発生部９にてマイナスイオンを発生することができるようになっている。本例の場合、ハウジング１内の空気流路２にイオン発生部９を配置してあり、ハウジング１とハンドル部１１との接続部に高電圧発生部１０を配置してある。
【００１２】
イオン発生部９は例えばコロナ放電によりマイナスイオンを発生するようになっており、図４、図５のように針電極１３とグランド電極１４とで構成されており、高電圧発生部１０から針電極１３に高電圧を印加することで放電によりマイナスイオンを発生するようになっており、針電極１３からグランド電極１４への延長線上に位置するイオン吹き出し口１５からマイナスイオンを放出するようになっている。針電極１３は、一例として金属棒の先端を鋭利にし、針形状にしたもので構成する。グランド電極１４は一例として金属板で構成し、針電極１３に対して斜め前方に配置する。高電圧発生部１０は一例としてマイナスイオンを発生させる場合、ＤＣ−５ｋＶを発生し、基準電位側をグランド電極１４に、高電圧側を針電極１３に各々接続する。逆に、プラスイオンを発生させる場合、ＤＣ＋５ｋＶを発生し、基準電位側をグランド電極１４に、高電圧側を針電極１３に接続する。なお、本例のイオン発生部９はコロナ放電によりマイナスイオンを発生するようになっているが、イオン発生部９はその他の手段でマイナスイオンを発生するものであってもよい。
【００１３】
またヒータ８は図２に示すように制御回路１７とスイッチング部１８によって制御され、図３に示すようにオンオフが自動的に繰り返し行われるようになっている。スイッチング部１８は本例の場合、トライアックで構成してある。そして制御回路１７によりトライアックのゲートに信号を送り、オンオフを実現するようになっている。図２で、１９はモータ３にかかる電圧を降圧する分圧抵抗であり、２０は交流電源である。
【００１４】
ヘアードライヤーを使用するには、ハンドル部１１に設けてある電源スイッチ１２を入れ、モータ７を駆動してファン６を回転させることで空気取り入れ口５より、ハウジング１外の空気をハウジング１内に取り入れて空気流路２の下流側へと送り、送られてきた空気を通電されたヒータ８で加熱して、空気吹き出し口４より温風を吹き出す。このとき、ヒータ８は制御回路１７によってオンオフの制御が行われる。これにより、ヒータ８をオンしたときは温風が吹き出され、ヒータ８をオフしたとき冷風（常温の風）が吹き出され、温風と冷風とが交互に吹き出される。
【００１５】
また高電圧発生部１０では常に高電圧を発生しており、高電圧が印加されることによりイオン発生部９でマイナスイオンが発生しており、イオン発生部９で発生したマイナスイオンは、イオン吹き出し口１５から出てくる。このとき、ヒータ８が交互にオンオフしているため、オフ時にはマイナスイオンが冷風によって冷やされ、温度の低いマイナスイオンを発生させることができる。
【００１６】
ここでヘアードライヤーの温風は髪を乾燥させるだけでなく、熱によって髪のＳ−Ｓ結合を切ることができるため、くせ毛を伸ばすことができる。そこに冷風を当てると、再びＳ−Ｓ結合が行われるため、くせ毛を伸ばして固定することができる。このとき、温風と冷風とを交互に吐出して温風と冷風とを順に毛髪に当てると、くせ毛を伸ばして固定することができてセット性が向上する。このセット性が向上した毛髪にマイナスイオンを当てると、髪の艶、しっとり、さらさらする効果が実感しやすくなる。
【００１７】
ところで、マイナスイオンとは、空気中の空気分子にマイナス電子が付着した状態で、さらに水分子を数個取り込んだものである。これが毛髪に付着するとマイナスイオンの粒子径が非常に小さいため、水分子を含むマイナスイオンが毛髪の内部まで浸透しやすい。これによって、毛髪がしっとり、さらさらなるという効果が生まれるのである。ここで発生させているのが冷風のマイナスイオンの場合、マイナスイオンに含まれている水分子が温度の低い状態となっている。この温度の低いイオン分子に含まれる水分子も温度が低く、低いエネルギーしか持っていないため、毛髪に付着した後、再び、空気中に蒸発するためには多くエネルギーを必要とするため、マイナスイオンを毛髪に当てた場合、蒸発することなく、髪に残った状態となり、結果としてしっとりになる効果が増大するのである。
【００１８】
次に図６に示す例について述べる。本例も図１乃至図３の例と基本的に同じであり、異なる点だけを主に述べる。上記例ではハウジング１内の空気流路２にイオン発生部９を配置したが、本例の場合、ハウジング１の外のイオン流路１６にイオン発生部９を配置してあり、空気吹き出し口４から吹き出す温風や冷風の吹き出し方向と同じ方向を向いたイオン吹き出し口１５よりマイナスイオンを毛髪に向けて吹き出すことができるようになっている。このように空気流路２外にイオン発生部９を設けた場合、発生したマイナスイオンは、空気吹き出し口４から吐出する温風によって一部は加熱されるが残りの大半については常温のまま発生させることができる。この例ものも図１乃至図３の例と同様に使用することができ、図１乃至図３の例と同様に温風と冷風とが交互に吐出されて髪のセットがされると共にマイナスイオンが当てられて髪の手入れがされる。
【００１９】
次に図７、図８に示す例について述べる。本例も上記例と基本的に同じであり、異なる点だけを主に述べ得る。本例の場合、冷風を吹き出すときだけイオン発生部９でマイナスイオンを発生することができるようになっている。本例の場合、トライアックからなるスイッチング部１８と並列になり且つヒータ８と直列になるように高電圧発生部１０を設けてある。この場合、スイッチング部１８としてのトライアックがオンのときはトライアックの両端電圧が０Ｖのために高電圧発生部１０に電流が流れなく、ヒータ８のみに電流が流れる。これによりヒータ８が所定の発熱をして温風が発生され、温風が吹き出される。スイッチング部１８のトライアックがオフのときは直列に接続したヒータ８及び高電圧発生部１０に電流が流れるが、高電圧発生部１０の抵抗が大きいためにヒータ８に電流が殆ど流れることがなく、ヒータ８に電流が流れても殆ど発熱することなく、冷風が発生されて冷風が吹き出される。このとき、高電圧発生部１０で発生された高電圧がイオン発生部９に印加されてイオン発生部９でマイナスイオンが発生される。これにより冷風が吹き出すときだけイオン発生部９でマイナスイオンが発生される。
【００２０】
【発明の効果】
本発明はヒータを繰り返してオンオフする制御をして冷風と温風を交互に空気吹き出し口より放出するように構成すると共に、ハウジング内の空気流路を通って吐出される送風と同じ方向にマイナスイオンを放出するイオン発生部を備えたので、温風と冷風とを交互にに送風して髪に当てることにより毛髪を効果的にセットできると共にこのようにセットした毛髪にマイナスイオンを当てることにより髪の艶、しっとり感、さらさら感があるように整髪できるという効果がある。つまり、温風は髪を乾燥させるだけでなく、熱によって髪のＳ−Ｓ結合を切ることができるため、くせ毛を伸ばすことができる。そこに冷風を当てると、再びＳ−Ｓ結合が行われるため、結果的にくせ毛を伸ばして固定することができる。このセット性が向上した状態でマイナスイオンを与えると、髪の艶を出したり、しっとり、さらさらすり効果が実感できるようになる。またマイナスイオンとは空気中の空気分子にマイナス電子が付着した状態で、さらに水分子を数個取り込んだものである。これが、毛髪に付着すると、マイナスイオンの粒子径が非常に小さいため、水分子を含むマイナスイオンが毛髪の内部まで浸透しやすい。これによって、毛髪がしっとり、さらさらなるという効果が生まれるのである。ここで発生させているのが冷風のマイナスイオンの場合、マイナスイオンに含まれている水分子温度の低い状態になっている。この温度の低いイオンに含まれている水分子も温度が低く、低いエネルギーしか持っていないため、毛髪に付着した後、再び、空気中に蒸発するためには多くのエネルギーを必要とするため、マイナスイオンを毛髪に当てた場合、蒸発することなく、髪に残った状態になり、結果としてしっとりになる効果が増大するのである。
【００２１】
また本発明の請求項２の発明は、請求項１において、イオン発生部を空気流路外のハウジングに設けて空気の吹き出される方向にイオン発生部からマイナスイオンを放出するようにしたので、イオン発生部で発生して放出されるマイナスイオンが外気温と略同じになるため、効率よく温度の低いマイナスイオンを発生させることが可能になる。マイナスイオンは空気中の空気分子をマイナスに荷電し、さらに水分子を数個取り込んだものであり、これが、毛髪に付着すると、水分子を含むマイナスイオンが毛髪の内部まで浸透するため、毛髪がしっとり、さらさらする効果が生まれるのである。さらにマイナスイオンが冷却されているため、水分子自体にエネルギー量が低いため、毛髪付着後、再び蒸発しにくい状態になる。これにより、毛髪がしっとり、さらさらする効果をさらに増大させることができる。
【００２２】
本発明の請求項３の発明は、請求項１または請求項２において、冷風を吹き出すときのみにイオン発生部でマイナスイオンを発生してマイナスイオンを放出するようにしたので、効率よく冷たいマイナスイオンを発生させることができ、これにより毛髪がしっとり、さらさらする効果をさらに増大させることができる。
【図面の簡単な説明】
【図１】本発明の実施の形態の一例の断面図である。
【図２】同上の回路図である。
【図３】同上の動作を説明する説明図である。
【図４】（ａ）はイオン発生部を正面から見た断面図、（ｂ）は（ａ）の側面から見た断面図である。
【図５】イオン発生部の動作を説明する説明図である。
【図６】同上の他の例の断面図である。
【図７】同上の他の例の回路図である。
【図８】同上の動作を説明ずる説明図である。
【図９】従来例を示す断面図である。
【符号の説明】
１  ハウジング
２  空気流路
４  空気吹き出し口
５  空気取り入れ口
６  ファン
７  モータ
８  ヒータ
９  イオン発生部
【図１】
2004222751.tif 000003
【図２】
2004222751.tif 000004
【図３】
2004222751.tif 000005
【図４】
2004222751.tif 000006
【図５】
2004222751.tif 000007
【図６】
2004222751.tif 000008
【図７】
2004222751.tif 000009
【図８】
2004222751.tif 000010
【図９】
2004222751.tif 000011